(57)【要約】      （修正有）【課題】ユーザがインターネットを使ったショッピングに関する判断を容易にできるようにする情報表示プログラム、表示方法、表示装置及び配信装置を提供する。【解決手段】端末装置は、所定の対象の一部を特化した対象を示す複数の要素が含まれるコンテンツを取得する取得部と、前記複数の要素の一部に目印となる所定の表示が付された前記コンテンツを画面に表示する表示制御部と、を有する。取得部は、商品或いはサービスの一部を特化した対象を示す複数の要素が含まれるコンテンツの情報を取得する。表示制御部は、商品或いはサービスの一部を特化した対象を示す前記複数の要素の一部に所定の表示が付された前記コンテンツを画面に表示する。【選択図】図８
2019046190.tif 000002
【特許請求の範囲】
【請求項１】
所定の対象の一部を特化した対象を示す複数の要素が含まれるコンテンツを取得する取得手順と、
前記複数の要素の一部に目印となる所定の表示が付された前記コンテンツを画面に表示する表示制御手順と、
をコンピュータに実行させるための情報表示プログラム。
【請求項２】
前記取得手順は、商品或いはサービスの一部を特化した対象を示す複数の要素が含まれるコンテンツの情報を取得し、
前記表示制御手順は、商品或いはサービスの一部を特化した対象を示す前記複数の要素の一部に前記所定の表示が付された前記コンテンツを画面に表示する、
処理であることを特徴とする請求項１に記載の情報表示プログラム。
【請求項３】
前記取得手順は、商品の色或いは柄を示す複数の要素が含まれるコンテンツの情報を取得し、
前記表示制御手順は、商品の色或いは柄を示す前記複数の要素の一部に前記所定の表示が付された前記コンテンツを画面に表示する、
処理であることを特徴とする請求項１又は２に記載の情報表示プログラム。
【請求項４】
前記取得手順は、商品の一部を特化した対象を示す複数の要素が含まれるコンテンツの情報を取得し、
前記表示制御手順は、前記複数の要素が示す複数の対象のうち在庫が存在する対象の中から選択された対象の要素に前記所定の表示が付された状態の前記コンテンツを画面に表示する、
処理であることを特徴とする請求項１〜３のいずれか１項に記載の情報表示プログラム。
【請求項５】
前記表示制御手順は、前記複数の要素の一部にユーザへのメッセージを有する前記所定の表示が付された前記コンテンツを画面に表示する、
処理であることを特徴とする請求項１〜４のいずれか１項に記載の情報表示プログラム。
【請求項６】
前記表示制御手順は、前記複数の要素の一部に販売状況を示す前記所定の表示が付された前記コンテンツを画面に表示する、
処理であることを特徴とする請求項１〜５のいずれか１項に記載の情報表示プログラム。
【請求項７】
前記表示制御手順は、前記複数の要素の一部に人気、売れ筋、注目、一押し、或いはおすすめを示す前記所定の表示が付された前記コンテンツを画面に表示する、
処理であることを特徴とする請求項１〜６のいずれか１項に記載の情報表示プログラム。
【請求項８】
前記表示制御手順は、前記複数の要素のうち前記コンテンツを閲覧するユーザと同じ属性のユーザへの販売の実績に基づき選択された要素に前記所定の表示が付された前記コンテンツを画面に表示する、
処理であることを特徴とする請求項１〜７のいずれか１項に記載の情報表示プログラム。
【請求項９】
前記取得手順は、前記要素が５以上含まれる前記コンテンツを取得し、
前記表示制御手順は、５以上の前記要素の２つに前記所定の表示が付された前記コンテンツを画面に表示する、
処理であることを特徴とする請求項１〜８のいずれか１項に記載の情報表示プログラム。
【請求項１０】
情報表示装置が実行する情報表示方法であって、
所定の対象の一部を特化した対象を示す複数の要素が含まれるコンテンツを取得する取得工程と、
前記複数の要素の一部に目印となる所定の表示が付された状態の前記コンテンツを画面に表示する表示制御工程と、
を含むことを特徴とする情報表示方法。
【請求項１１】
所定の対象の一部を特化した対象を示す複数の要素が含まれるコンテンツを取得する取得部と、
前記複数の要素の一部に目印となる所定の表示が付された状態の前記コンテンツを画面に表示する表示制御部と、
を備えることを特徴とする情報表示装置。
【請求項１２】
画面に情報を表示する端末装置に制御情報を配信する配信部を備え、
前記配信部は、前記端末装置に前記制御情報を配信することで、
所定の対象の一部を特化した対象を示す複数の要素が含まれるコンテンツを取得する取得処理と、
前記複数の要素の一部に目印となる所定の表示が付された状態の前記コンテンツを画面に表示する表示制御処理と、
を実行させるよう前記端末装置を制御する、
ことを特徴とする配信装置。
【発明の詳細な説明】
【技術分野】
【０００１】
本発明は、情報表示プログラム、情報表示方法、情報表示装置、及び配信装置に関する。
【背景技術】
【０００２】
近年、インターネットを使ったショッピングサービスが盛んになっている。ショッピングサービスを利用することで、ユーザは、商品の購入やサービスの利用を容易にすることができる。
【先行技術文献】
【特許文献】
【０００３】
【特許文献１】特開２０１０−５５３９１号公報
【発明の概要】
【発明が解決しようとする課題】
【０００４】
しかしながら、インターネットを使ったショッピングの場合、ユーザは、端末装置の前に居ながらにして多くの情報を得ることができるため、ショッピングに関する判断に迷うことがある。
【０００５】
本願は、上記に鑑みてなされたものであって、ユーザがショッピングに関する判断を容易にできるようにすることを目的とする。
【課題を解決するための手段】
【０００６】
本願に係る情報表示プログラムは、所定の対象の一部を特化した対象を示す複数の要素が含まれるコンテンツを取得する取得手順と、複数の要素の一部に目印となる所定の表示が付されたコンテンツを画面に表示する表示制御手順と、をコンピュータに実行させる。
【発明の効果】
【０００７】
実施形態の一態様によれば、ユーザがショッピングに関する判断を容易に行うことができる。
【図面の簡単な説明】
【０００８】
【図１】図１は、実施形態に係る情報処理システムの動作を示す図である。
【図２】図２は、端末装置に配信されるコンテンツの一例を示す図である。
【図３】図３は、実施形態に係る情報処理サーバの構成例を示す図である。
【図４】図４は、実績情報データベースに格納される情報の一例を示す図である。
【図５】図５は、コンテンツデータベースに格納される情報の一例を示す図である。
【図６】図６は、ラベルデータベースに格納される情報の一例を示す図である。
【図７】図７は、ラベルがサブクラスを示す要素に付された様子を示す図である。
【図８】図８は、実施形態に係る端末装置の構成例を示す図である。
【図９】図９は、配信処理の一例を示すフローチャートである。
【図１０】図１０は、情報表示処理の一例を示すフローチャートである。
【図１１】図１１は、情報処理サーバ或いは端末装置の機能を実現するコンピュータの一例を示すハードウェア構成図である。
【発明を実施するための形態】
【０００９】
以下に、本願に係る情報表示プログラム、情報表示方法、情報表示装置、及び配信装置を実施するための形態（以下、「実施形態」と呼ぶ）について図面を参照しつつ詳細に説明する。なお、以下の実施形態により本願に係る情報表示プログラム、情報表示方法、情報表示装置、及び配信装置が限定されるものではない。また、以下の各実施形態において同一の部位には同一の符号を付し、重複する説明は省略される。
【００１０】
〔１．情報処理装置の動作〕
最初に、本実施形態の情報表示プログラム等により実現される情報表示処理を説明する。以下の説明では、本実施形態の情報表示装置の一例である端末装置２０を備える情報処理システム１を例に、情報表示処理を説明する。
【００１１】
〔１−１．情報処理システムについて〕
図１は、実施形態に係る情報処理システム１の動作を示す図である。情報処理システム１は、情報処理サーバ１０と、端末装置２０１、２０２、２０３、２０４と、を備える。なお、図１の例では、端末装置が４つ示されているが、端末装置は４つより少なくてもよいし、４つより多くてもよい。以下の説明では、端末装置２０１、２０２、２０３、２０４等を総称して端末装置２０と記載することがある。
【００１２】
情報処理サーバ１０は、クライアント端末に対して各種サービスを提供するサーバ用ホストコンピュータである。情報処理サーバ１０は、例えば、ショッピングサイト或いはＥＣ（Electric  Commerce）サイトとして機能するショッピングサーバである。情報処理サーバ１０は、オンラインストア（以下、単にストアという。）に対してオンラインモールの機能を提供する。また、情報処理サーバ１０は、ユーザに対してネットショッピングに関するサービス（以下、ショッピングサービスという。）を提供する。例えば、情報処理サーバ１０は、ユーザのストアでの商品の購入に関する処理を行う。
【００１３】
なお、以下の説明では、情報処理サーバ１０は、ウェブページを介してユーザにショッピングサービスを提供するものとするが、端末装置２０に予めインストールされたアプリの画面を介してショッピングサービスを提供してもよい。以下の説明では、情報処理サーバ１０がショッピングサービスを提供するためのページ（アプリの画面を含む。）をショッピングページという。
【００１４】
なお、ページとは、コンテンツの配置面のことをいう。より具体的には、ページとは、画像（例えば、静止画、動画）、テキスト情報（例えば、ニュース記事）等のコンテンツが配置されたページ単位の情報である。例えば、ページはウェブページである。なお、ページはウェブページに限定されない。例えば、ページは、ユーザインタフェース画面に表示されることを目的として作成されたページ（例えばアプリの画面）であってもよい。ページは、端末装置２０が備える記憶装置に予めインストールされたデータ（例えば、地図データ等のコンテンツデータ）に基づき生成されてもよい。なお、ページはコンテンツそのものとみなすことが可能である。また、以下に説明する端末装置２０の動作は、ブラウザ上での動作のみならず、予めインストールされたプログラム上（例えば、アプリ上）での動作も含有している。
【００１５】
端末装置２０は、例えば、スマートデバイス（スマートフォン、或いはタブレット）、携帯電話、パーソナルコンピュータ等のユーザ端末である。端末装置２０１はユーザＵ１が使用する端末であり、端末装置２０２はユーザＵ２が使用する端末であり、端末装置２０３はユーザＵ３が使用する端末であり、端末装置２０４はユーザＵ４が使用する端末である。端末装置２０は、ネットワークを介して情報処理サーバ１０と通信する。例えば、端末装置２０は、情報処理サーバ１０からショッピングページの情報を取得する。
【００１６】
ユーザが端末装置２０を操作して情報処理サーバ１０が配信するサイトにアクセスすると、端末装置２０は、情報処理サーバ１０からユーザがアクセスしたサイトに係るページの配信を受ける。そして、端末装置２０は、受信したページを画面に表示する。また、端末装置２０は、ページの配信を受けると、ページの情報とともに送信された制御情報に従って情報処理サーバ１０にコンテンツ（例えば、商品のサブクラスの選択ページ）の配信要求を行う。そして、端末装置２０は、情報処理サーバ１０からコンテンツの配信を受ける。端末装置２０は、制御情報に従って画面にコンテンツを表示する。
【００１７】
ここで、サブクラスとは、所定の対象（例えば、商品或いはサービス）の一部を特化した対象のことをいう。言い換えると、サブクラスとは、あるクラス（上位クラス）の一部を特化したクラス（下位クラス）のことをいう。例えば、上位クラスを、ボディカラーが特定されていない、ある車名の自動車であるとする。このとき、サブクラスは、例えば、当該車名の自動車のうち、ボディカラーが白色の自動車、ボディカラーが黒色の自動車等のことである。なお、上位クラスは、同一の車名の自動車に限定されない。上位クラスは自動車以外の商品やサービスであってもよい。例えば、上位クラスは、同一の商品コードが付された商品であってもよい。同一種類の商品とみなせるのであれば、異なる識別コードが付された商品も同一の上位クラスに属する商品とみなすことが可能である。なお、商品コードは、ＪＡＮ（Japanese  Article  Number）コードであってもよいし、ＥＡＮ（European  Article  Number）コードであってもよいし、ＵＰＣ（Universal  Product  Code）コードであってもよい。また、サブクラスは、色に限定されず、例えば、サイズや柄であってもよい。サブクラスはサブコードと言い換えることも可能である。
【００１８】
なお、所定の対象の一部を特化した対象を示す情報は、色（例えば、ボディカラー）に限られず、例えば、サイズ、柄等、色以外の「属性（性質、特徴、特性、プロパティ）」を示す情報であってもよい。また、所定の対象の一部を特化した対象を示す情報は、出力性能（例えば、充電器等における定格出力電流）、充電可能量、積載可能量、積載可能人数、収納容量（例えば、冷蔵庫や収納家具における収容可能量）、記憶容量（例えば、ハードディスク容量や、メモリ容量）、積載部品の種類（例えば、パソコンにおけるプロセッサの種類や液晶モニターの解像度）等、性能（能力、機能、スペック）を示す情報であってもよい。なお、所定の対象の一部を特化した対象を示す情報は、「所定の対象の属性（性質、特徴、特性、或いはプロパティ）を示す情報」、「所定の対象の性能（能力、機能、スペック）を示す情報」等と言い換えることができる。
【００１９】
なお、制御情報は、ページに埋め込まれたプログラムであってもよい。例えば、制御情報は、ＪａｖａＳｃｒｉｐｔ（登録商標）等のスクリプト言語で記載されたプログラムであってもよい。勿論、制御情報は、スクリプト言語以外のコンピュータ言語で記載された情報であってもよい。例えば、制御情報は、ＣＳＳ３（Cascading  Style  Sheets  3）等のスタイルシート言語で記載された情報であってもよい。また、制御情報は、Ｊａｖａ（登録商標）、Ｓｗｉｆｔ、Ｃ言語、Ｃ＋＋等のプログラミング言語で記載され、コンパイル等されたプログラムであってもよい。コンテンツ配信サーバ等のサーバから配信されるアプリケーションソフトそのものを制御情報とみなすことも可能である。このとき、ページの情報は、制御情報に含まれていてもよい。なお、最終的に端末装置２０がプログラムを実行できるのであれば、制御情報は、コンパイルされたプログラムでなくてもよい。その他、制御情報は、インタプリタ言語（例えば、スクリプト言語）、機械言語、或いは中間言語の形式で提供されるデータ（プログラム）であってもよい。
【００２０】
〔１−２．情報表示処理について〕
以下、図１を参照しながら、端末装置２０を備える情報処理システム１の動作を説明する。
【００２１】
まず、情報処理サーバ１０は、ショッピングページの閲覧者（例えば、ユーザＵ１〜Ｕ３）が操作する端末装置２０とショッピングサービスに関する通信を行う（ステップＳ１ａ〜ステップＳ１ｃ）。例えば、情報処理サーバ１０は、ショッピングページの情報を端末装置２０に送信するとともに、ショッピングページを介して行われたユーザの指示を処理する。例えば、情報処理サーバ１０は、ユーザが購入した商品の決済や発送に関する処理を行う。
【００２２】
続いて、情報処理サーバ１０は、商品の販売実績を実績情報データベースに登録する（ステップＳ２）。例えば、情報処理サーバ１０は、商品が販売される度に、図１の実績情報データベースの「販売数」の項目の数値を更新する。なお、販売数は、サブクラス単位の販売数であってもよい。例えば、商品ＩＤがＭ１の商品（以下、商品Ｍ１という。）にサブクラスＩＤが付された複数のサブクラスがあるとする。商品Ｍ１は、例えば、あるブランド名の洋服であり、複数のサブクラスＩＤは、それぞれ、当該洋服の色違いの洋服を示す。例えば、サブクラスＩＤ“１００１”は当該洋服のうち色がホワイトの洋服を示し、サブクラスＩＤ“１００２”は当該洋服のうち色がブラックの洋服を示し、サブクラスＩＤ“１００３”は当該洋服のうち色がネイビーの洋服を示す。商品Ｍ１のうち色がホワイトの洋服が売れたのであれば、情報処理サーバ１０は、サブクラスＩＤ“１００１”の「販売数」の数値に１を加算する。なお、実績情報データベースに登録される販売実績は直近所定期間（例えば、直近数日間）の販売実績であってもよい。
【００２３】
情報処理サーバ１０は、ユーザＵ４が操作する端末装置２０からショッピングページの配信要求を受信すると（ステップＳ３）、ショッピングページの情報を端末装置２０に送信する（ステップＳ４）。ユーザは、ショッピングページを閲覧するとともに、購入を望む商品（以下、購入希望商品という。）を選択する。
【００２４】
情報処理サーバ１０は、端末装置２０から購入希望商品に関する配信要求を受信すると（ステップＳ５）、端末装置２０に配信するコンテンツを生成する（ステップＳ６）。このとき、情報処理サーバ１０が生成するコンテンツには、購入希望商品のサブクラスを示す複数の要素が含まれていてもよい。
【００２５】
図２は、端末装置２０に配信されるコンテンツＣ１の一例を示す図である。コンテンツＣ１は、ユーザＵ４の購入希望商品である商品Ｍ１を購入するためのページの一例である。コンテンツＣ１には、商品Ｍ１のサブクラスを示す要素として要素Ｅ１、Ｅ２、Ｅ３が配置されている。要素Ｅ１、Ｅ２、Ｅ３は、例えば、画像、テキスト、或いはコントロール（ボタン等）により構成される。要素Ｅ１は、ホワイト色の商品Ｍ１を示しており、要素Ｅ２は、ブラック色の商品Ｍ１を示しており、要素Ｅ３は、ネイビー色の商品Ｍ１を示している。さらに、コンテンツＣ１には、サイズを示す要素が表示されている。図２の例の場合、サイズは、色を上位クラスとしたサブクラスとなっている。図２の例の場合、Ｍ〜３Ｌの４つのサイズを示す要素が、要素Ｅ１、Ｅ２、Ｅ３それぞれに関連付けられた状態で表示されている。ユーザはこれらの要素を選択操作可能である。
【００２６】
色が３つでサイズが４つの場合、ユーザは１２（＝３×４）個の選択肢から商品Ｍ１を選択することになる。図２の例の場合、ブラックのＭとブラックのＬは“在庫なし”となっているので、ユーザは１２から２を引いた１０個の選択肢から商品Ｍ１を選択することになる。なお、服のサイズはユーザ毎に概ね決まっていると思われる。そのため、図２の例の場合、多くのユーザは、実質的に、ホワイト、ブラック、ネイビーの３つの選択肢から商品Ｍ１を選択することになる。
【００２７】
商品の選択肢が多い場合、商品を購入せずにページを離脱するユーザが多く現れる。ユーザの多くは、選択肢が３つくらい残る状況でページを離脱している。図２の例の場合も、商品の選択肢ではないものの、サブクラスの選択肢が実質的に３つあり、ユーザが、商品Ｍ１を購入せずにページを離脱する恐れがある。
【００２８】
そこで、情報処理サーバ１０は、ユーザが商品の購入判断を容易にできるようにするため、サブクラスを示す複数の要素の一部（少なくとも１つの要素）にサブクラスの選択のためのユーザへの目印となる表示を付す。言い換えると、情報処理サーバ１０は、所定の要素に注目が集まるような態様で表示を付す。例えば、情報処理サーバ１０は、所定の要素のみに周囲と異なる色で情報を付したり、所定の要素のみ枠で囲ったり、所定の要素にのみ記号を付したりする。本実施形態の場合、情報処理サーバ１０は、複数の要素の一部に、目印となる表示としてラベルを付す。より具体的には、情報処理サーバ１０は、商品の色を示す複数の要素の一部（少なくとも１つの要素）にラベルを付す。このとき、情報処理サーバ１０は、実績情報データベースに記録されている販売実績の情報に基づいて、ラベルを付すサブクラスを選択する。例えば、情報処理サーバ１０は、商品Ｍ１の複数のサブクラスのうち最も販売数が多いサブクラスの要素にラベルを付す。図２の例では、情報処理サーバ１０は、商品Ｍ１の色を示す３つの要素Ｅ１〜Ｅ３のうち、ホワイトを示す要素Ｅ１にラベルＬ１を付している。
【００２９】
なお、ラベルには、ユーザへのメッセージが付されていてもよい。例えば、ラベルには、販売状況（例えば、他のユーザの購入状況）を示すメッセージが付されていてもよい。このとき、販売状況は、所定期間の売れ行きであってもよいし、所定属性（例えば、男性、女性、１０代、２０代、主婦等）における売れ具合であってもよい。図２の例では、ラベルＬ１には、販売状況を示す“売れ筋”のメッセージが付されている。なお、販売状況を示すメッセージは、“売れ筋”に限られない。例えば、販売状況を示すメッセージは、最近販売が始まったモノを示すメッセージ（例えば“新作”）であってもよいし、長い間販売が継続されているメッセージ（例えば、“定番”）であってもよい。なお、他のユーザの購入状況が分かるのであれば、必ずしもラベルにメッセージは付されていなくてもよい。例えば、情報処理サーバ１０は、ラベルに二重丸等の記号を付してもよい。この場合、情報処理サーバ１０は、ラベル外に二重丸の記号の意味を表示してもよい。なお、目印となる表示には、タグ、マークも含まれる。タグやマークもラベルの一種とみなすことが可能である。
【００３０】
また、図２の例では、ラベルＬ１には販売状況を示すメッセージとして“売れ筋”が付与されているが、メッセージは“売れ筋”に限定されない。販売状況がわかるのであれば、メッセージは、例えば、“人気”であってもよい。また、ラベルに付与されるメッセージは、ユーザの購入状況を示すメッセージに限定されない。メッセージは、ショッピングサイトの運営者等が該当のサブクラスを推奨することを示すメッセージであってもよい。例えば、メッセージは“注目”、“一押し”、或いは“おすすめ”であってもよい。なお、商品を推奨することが分かるのであれば、メッセージは必ずしもラベルに付与されていなくてもよい。例えば、情報処理サーバ１０は、ラベルに二重丸等の記号を付し、ラベル外に二重丸の記号の意味を表示してもよい。
【００３１】
コンテンツの生成が完了したら、情報処理サーバ１０は、生成したコンテンツを端末装置２０に送信する（ステップＳ７）。そして、端末装置２０は、情報処理サーバ１０からコンテンツを取得する。例えば、端末装置２０は、購入希望商品のサブクラスを示す複数の要素が含まれるコンテンツＣ１を取得する。
【００３２】
上述したように、コンテンツＣ１には、商品Ｍ１の色を示す要素Ｅ１〜Ｅ３の１つにラベルＬ１が付されている。そして、ラベルＬ１には、販売状況を示すメッセージが付されている。端末装置２０は、情報処理サーバ１０から取得したコンテンツを画面に表示する。例えば、端末装置２０は、図２に示すように、コンテンツＣ１を画面に表示する。図２の右側の図では、端末装置２０のコンテンツ表示領域Ａ１にコンテンツＣ１がスクロール可能に表示されている。
【００３３】
そして、ユーザは、端末装置２０に表示されたコンテンツＣ１を使って情報処理サーバ１０に対してショッピングに関する指示を行う。例えば、ユーザは、コンテンツＣ１に表示されている複数のサブクラス（色及びサイズ）からサブクラスを選択する操作を行うとともに、ボタンＢ１を押す。ボタンＢ１は、商品をカートに入れるためのボタンである。
【００３４】
情報処理サーバ１０は、コンテンツＣ１を介して行われたユーザの指示を処理する（ステップＳ８）。例えば、ホワイト色のＬサイズの商品Ｍ１がユーザＵ４によって選択されたのであれば、情報処理サーバ１０は、ユーザＵ４のカートにホワイト色のＬサイズの商品Ｍ１を追加する処理を行う。情報処理サーバ１０は、処理結果を端末装置２０に送信する。
【００３５】
本実施形態によれば、端末装置２０は、商品のサブクラスを示す複数の要素の一部にラベルが付されたコンテンツを画面に表示する。そのため、ユーザは、商品のサブクラスが複数あったとしても、ラベルを判断材料にしてサブクラスを選択できる。結果として、ユーザはショッピングに関する判断を容易に行うことができる。
【００３６】
〔２．情報処理システムの構成例〕
以上、情報表示処理について述べたが、以下、本実施形態の情報表示装置の一例である端末装置２０を備える情報処理システム１の構成を説明する。情報処理システム１は、情報処理サーバ１０と、端末装置２０と、を備える。情報処理サーバ１０及び端末装置２０は、ネットワークを介して接続される。ネットワークは、ＬＡＮ（Local  Area  Network）、ＷＡＮ（Wide  Area  Network）、電話網（携帯電話網、固定電話網等）、地域ＩＰ（Internet  Protocol）網、インターネット等の通信ネットワークである。ネットワークには、有線ネットワークが含まれていてもよいし、無線ネットワークが含まれていてもよい。
【００３７】
情報処理サーバ１０は、端末装置２０にページの情報を配信するサーバ装置である。例えば、情報処理サーバ１０は、ポータルサイト、ニュースサイト、オークションサイト、天気予報サイト、ショッピングサイト、ファイナンス（株価）サイト、路線検索サイト、地図提供サイト、旅行サイト、飲食店紹介サイト、ウェブブログなどに関連する各種情報がタイル状に配置されたウェブページを端末装置２０に配信する装置である。情報処理サーバ１０は、ポータルサイト等のウェブページを配信するサーバであってもよい。また、情報処理サーバ１０は、上述した情報表示処理を実現するための制御情報をコンテンツとともに端末装置２０に配信する。そのため、情報処理サーバ１０は、端末装置２０に制御情報を配信する配信装置として機能する。制御情報は、例えば、ＪａｖａＳｃｒｉｐｔ（登録商標）等のスクリプト言語やＣＳＳ（Cascading  Style  Sheets）等のスタイルシート言語により記述される。情報処理サーバ１０の構成は後述する。
【００３８】
端末装置２０は、ページを閲覧するユーザによって利用される情報処理装置である。端末装置２０は、ユーザの操作に従って、情報処理サーバ１０からページの情報を取得する。ページにコンテンツの取得を要求する取得命令が含まれる場合には、端末装置２０は、取得命令に従って情報処理サーバ１０からコンテンツを取得する。また、端末装置２０は、上述の情報表示処理を実現する制御情報を情報処理サーバ１０から受け取った場合には、制御情報に従って情報表示処理を実現する。端末装置２０の構成は後述する。
【００３９】
〔３．情報処理サーバの構成例〕
情報処理サーバ１０は、端末装置２０等のクライアントコンピュータからの要求を処理するサーバ用ホストコンピュータ（以下、単に「サーバ」という。）である。情報処理サーバ１０は、ＰＣサーバであってもよいし、ミッドレンジサーバであってもよいし、メインフレームサーバであってもよい。また、情報処理サーバ１０は、１つのサーバにより構成されていてもよいし、協働して処理を実行する複数のサーバにより構成されていてもよい。情報処理サーバ１０が複数のサーバで構成される場合、これらサーバの設置場所は離れていてもよい。設置場所が離れていたとしても、協働して処理を実行するのであれば、これらサーバは１つのサービス提供サーバとみなすことができる。
【００４０】
図３は、実施形態に係る情報処理サーバ１０の構成例を示す図である。情報処理サーバ１０は、通信部１１と、記憶部１２と、制御部１３と、を備える。なお、図３に示した構成は機能的な構成であり、ハードウェア構成はこれとは異なっていてもよい。
【００４１】
通信部１１は、外部の装置と通信する通信インタフェースである。通信部１１は、ネットワークインタフェースであってもよいし、機器接続インタフェースであってもよい。例えば、通信部１１は、ＮＩＣ（Network  Interface  Card）等のＬＡＮインタフェースであってもよいし、ＵＳＢ（Universal  Serial  Bus）ホストコントローラ、ＵＳＢポート等により構成されるＵＳＢインタフェースであってもよい。また、通信部１１は、有線インタフェースであってもよいし、無線インタフェースであってもよい。通信部１１は、情報処理サーバ１０の通信手段として機能する。通信部１１は、制御部１３の制御に従って端末装置２０と通信する。
【００４２】
記憶部１２は、ＤＲＡＭ（Dynamic  Random  Access  Memory）、ＳＲＡＭ（Static  Random  Access  Memory）、フラッシュメモリ、ハードディスク等のデータ読み書き可能な記憶装置である。記憶部１２は、情報処理サーバ１０の記憶手段として機能する。記憶部１２は、実績情報データベース１２１、コンテンツデータベース１２２、ラベルデータベース１２３を記憶する。
【００４３】
実績情報データベース１２１は、商品の販売実績を記憶するデータベースである。図４は、実績情報データベース１２１に格納される情報の一例を示す図である。図４に示した例では、実績情報データベース１２１は、「商品ＩＤ」、「サブクラスＩＤ」、「全体」の販売数、「分類１」の販売数、「分類２」の販売数等の項目を有している。
【００４４】
「商品ＩＤ」は、商品の識別情報を示す。図４の例では、「商品ＩＤ」には、Ｍ１、Ｍ２等の情報が格納されている。
【００４５】
「サブクラスＩＤ」は、「商品ＩＤ」で示される商品のサブクラスの識別情報を示す。図４の例では、「サブクラスＩＤ」には、１００１、１００２等の情報が格納されている。
【００４６】
「全体」は、「商品ＩＤ」で示される商品のユーザ全体への販売数を示す。図４の例では、「全体」には、１００、１０３等の情報が格納されている。項目値の１００は、当該商品がユーザ全体で１００個売れたことを示す。
【００４７】
「分類１」は、「商品ＩＤ」で示される商品の分類１に分類されるユーザへの販売数を示す。例えば、「分類１」は、「商品ＩＤ」で示される商品の男性ユーザへの販売数を示す。図４の例では、「全体」には、５５、６１等の情報が格納されている。項目値の５５は、例えば、当該商品が男性ユーザに１００個売れたことを示す。
【００４８】
「分類２」は、「商品ＩＤ」で示される商品の分類２に分類されるユーザへの販売数を示す。例えば、「分類１」は、「商品ＩＤ」で示される商品の女性ユーザへの販売数を示す。図４の例では、「全体」には、２３、３６等の情報が格納されている。項目値の２３は、例えば、当該商品が女性ユーザに２３個売れたことを示す。
【００４９】
コンテンツデータベース１２２は、商品に関するコンテンツの情報を記憶するデータベースである。図５は、コンテンツデータベース１２２に格納される情報の一例を示す図である。図５に示した例では、コンテンツデータベース１２２は、「商品ＩＤ」、「コンテンツ」等の項目を有している。
【００５０】
「商品ＩＤ」は、商品の識別情報を示す。図５の例では、「商品ＩＤ」には、Ｍ１、Ｍ２等の情報が格納されている。
【００５１】
「コンテンツ」は、ページに表示する商品の情報（例えば、商品の紹介文や画像）を示す。図５の例では、「コンテンツ」にはＣ１１〜Ｃ１６といった概念的な情報が格納されているが、音声データ、画像データ、テキストデータ等、コンテンツのデータそのものが格納されていてもよい。なお、「コンテンツ」には、各コンテンツが所在するＵＲＬ、または、これらの格納場所を示すファイルパス名などが格納されていてもよい。
【００５２】
ラベルデータベース１２３は、ラベルに関する情報を記憶するデータベースである。図６は、ラベルデータベース１２３に格納される情報の一例を示す図である。図６に示した例では、ラベルデータベース１２３は、「ラベルＩＤ」、「ラベルデータ」等の項目を有している。
【００５３】
「ラベルＩＤ」は、サブクラスの要素に付されるラベルの識別情報を示す。図６の例では、「ラベルＩＤ」には、Ｌ１、Ｌ２等の情報が格納されている。
【００５４】
「ラベルデータ」は、ページに表示するラベルのデータを示す。図６の例では、「ラベルデータ」にはＤ１１〜Ｄ１６といった概念的な情報が格納されているが、画像データ等、ラベルのデータそのものが格納されていてもよい。なお、「ラベルデータ」には、各ラベルデータが所在するＵＲＬ、または、これらの格納場所を示すファイルパス名などが格納されていてもよい。
【００５５】
図７は、ラベルがサブクラスを示す要素に付された様子を示す図である。図７の例では、商品のサブクラスを示す５つの要素Ｅ１〜Ｅ５が示されている。要素Ｅ１は、ホワイト色の商品を示す要素であり、要素Ｅ２は、ブラック色の商品を示す要素であり、要素Ｅ３は、ネイビー色の商品を示す要素であり、要素Ｅ４は、グレー色の商品を示す要素であり、要素Ｅ５は、グリーン色の商品を示す要素である。図７の例では、５つの要素の２つにラベルが付されている。具体的には、要素Ｅ１にラベルＬ２が、要素Ｅ２にラベルＬ３が付されている。ラベルＬ２は、他のユーザの該当商品の購入状況を示すメッセージとして“人気”が表示されており、ラベルＬ３にはストアが該当商品を推奨することを示すメッセージとして“注目”が表示されている。
【００５６】
図３に戻り、制御部１３は、コントローラ（controller）であり、例えば、ＣＰＵ（Central  Processing  Unit）、ＭＰＵ（Micro  Processing  Unit）等のプロセッサによって、情報処理サーバ１０内部の記憶装置に記憶されている各種プログラムがＲＡＭ等を作業領域として実行されることにより実現される。また、制御部１３は、コントローラであり、例えば、ＡＳＩＣ（Application  Specific  Integrated  Circuit）やＦＰＧＡ（Field  Programmable  Gate  Array）等の集積回路により実現されてもよい。
【００５７】
制御部１３は、図３に示すように、受付部１３１と、判別部１３２と、生成部１３３と、配信部１３４と、を備える。制御部１３を構成するブロック（受付部１３１〜配信部１３４）はそれぞれ制御部１３の機能を示す機能ブロックである。これら機能ブロックはソフトウェアブロックであってもよいし、ハードウェアブロックであってもよい。例えば、上述の機能ブロックが、それぞれ、ソフトウェア（マイクロプログラムを含む。）で実現される１つのソフトウェアモジュールであってもよいし、半導体チップ（ダイ）上の１つの回路ブロックであってもよい。勿論、各機能ブロックがそれぞれ１つのプロセッサ或いは１つの集積回路であってもよい。機能ブロックの構成方法は任意である。なお、制御部１３は上述の機能ブロックとは異なる機能単位で構成されていてもよい。
【００５８】
受付部１３１は、端末装置２０からページの取得要求を受け付ける。例えば、受付部１３１は、ウェブページの取得要求として、ＨＴＴＰリクエストを受け付ける。
【００５９】
判別部１３２は、端末装置２０に配信するページに商品或いはサービスのサブクラスを示す複数の要素が含まれる場合には、実績情報データベース１２１に記録されている販売実績に基づいてラベルを付す要素を判別する。
【００６０】
生成部１３３は、端末装置２０に配信するページを生成する。このとき、ページに商品或いはサービスのサブクラスを示す複数の要素が含まれる場合には、複数の要素の一部にラベルを付す。
【００６１】
配信部１３４は、受付部１３１がページの取得要求を受け付けた場合に、ページの情報を端末装置２０に配信する。具体的には、配信部１３４は、生成部１３３が生成したページの情報を端末装置２０に配信する。このとき、ページの情報には、制御情報が含まれていてもよい。
【００６２】
〔４．端末装置の構成例〕
図８は、実施形態に係る端末装置２０の構成例を示す図である。端末装置２０は、ユーザがページの閲覧に使用する情報表示装置（情報処理装置）である。端末装置２０は、例えば、スマートフォン、タブレット、携帯電話等の通信端末である。通信機能を備えるのであれば、端末装置２０は、パーソナルコンピュータ（ノートＰＣ、デスクトップＰＣ）、ＰＤＡ（Personal  Digital  Assistant）等の情報処理端末であってもよい。この場合、情報処理端末も通信端末の一種である。端末装置２０は、ネットワークを介して情報処理サーバ１０と接続する。端末装置２０は、図８に示すように、通信部２１と、入力部２２と、記憶部２３と、出力部２４と、制御部２５と、を備える。なお、図８に示した構成は機能的な構成であり、ハードウェア構成はこれとは異なっていてもよい。
【００６３】
通信部２１は、外部の装置と通信する通信インタフェースである。通信部２１は、ネットワークインタフェースであってもよいし、機器接続インタフェースであってもよい。例えば、通信部１１は、ＮＩＣ等のＬＡＮインタフェースであってもよいし、ＵＳＢホストコントローラ、ＵＳＢポート等により構成されるＵＳＢインタフェースであってもよい。また、通信部２１は、有線インタフェースであってもよいし、無線インタフェースであってもよい。通信部２１は、端末装置２０の通信手段として機能する。通信部２１は、制御部２５の制御に従って情報処理サーバ１０と通信する。
【００６４】
入力部２２は、外部から各種入力を受け付ける入力装置である。例えば、入力部２２は、キーボードやマウスや操作キー等、ユーザが各種操作を行うための操作装置である。入力部２２は、端末装置２０の入力手段として機能する。なお、端末装置２０にタッチパネルが採用される場合には、タッチパネルも入力部２２に含まれる。この場合、ユーザは、指やスタイラスで画面をタッチすることにより各種操作を行う。
【００６５】
記憶部２３は、ＤＲＡＭ、ＳＲＡＭ、フラッシュメモリ、ハードディスク等のデータ読み書き可能な記憶装置である。記憶部２３は、端末装置２０の記憶手段として機能する。記憶部２３は、ウェブブラウザ等のアプリケーションソフトのデータが格納されている。ユーザはアプリケーションソフトを介して情報処理サーバ１０と通信する。
【００６６】
出力部２４は、音、光、振動、画像等、外部に各種出力を行う装置である。出力部２４は、端末装置２０の出力手段として機能する。出力部２４は、各種情報を表示する表示装置を備える。表示装置は、例えば、液晶ディスプレイ、有機ＥＬディスプレイである。なお、端末装置２０にタッチパネルが採用される場合には、表示装置は入力部２２と一体であってもよい。出力部２４は、制御部２５の制御に従って、画面に画像を表示する。
【００６７】
制御部２５は、コントローラであり、例えば、ＣＰＵ、ＭＰＵ等のプロセッサによって、端末装置２０内部の記憶装置に記憶されている各種プログラムがＲＡＭ等を作業領域として実行されることにより実現される。また、制御部２５は、コントローラであり、例えば、ＡＳＩＣやＦＰＧＡ等の集積回路により実現されてもよい。
【００６８】
制御部２５は、図８に示すように、取得部２５１と、表示制御部２５２と、を備える。制御部２５を構成するブロック（取得部２５１、表示制御部２５２）はそれぞれ制御部２５の機能を示す機能ブロックである。これら機能ブロックはソフトウェアブロックであってもよいし、ハードウェアブロックであってもよい。例えば、上述の機能ブロックが、それぞれ、ソフトウェア（マイクロプログラムを含む。）で実現される１つのソフトウェアモジュールであってもよいし、半導体チップ（ダイ）上の１つの回路ブロックであってもよい。勿論、各機能ブロックがそれぞれ１つのプロセッサ或いは１つの集積回路であってもよい。機能ブロックの構成方法は任意である。なお、制御部２５は上述の機能ブロックとは異なる機能単位で構成されていてもよい。
【００６９】
取得部２５１は、所定の対象のサブクラスを示す複数の要素が含まれるコンテンツを取得する。例えば、取得部２５１は、商品或いはサービスのサブクラスを示す複数の要素が含まれるコンテンツの情報を取得する。また、取得部２５１は、商品の色或いは柄を示す複数の要素が含まれるコンテンツの情報を取得する。また、取得部２５１は、商品のサブクラスを示す複数の要素が含まれるコンテンツの情報を取得する。例えば、取得部２５１は、サブクラスを示す要素が５以上含まれるコンテンツを取得する。
【００７０】
表示制御部２５２は、複数の要素の一部にラベルが付されたコンテンツを画面に表示する。例えば、表示制御部２５２は、商品或いはサービスのサブクラスを示す複数の要素の一部にラベルが付されたコンテンツを画面に表示する。また、表示制御部２５２は、商品の色或いは柄を示す複数の要素の一部にラベルが付されたコンテンツを画面に表示する。
【００７１】
また、表示制御部２５２は、在庫が存在するサブクラスの中から選択されたサブクラスの要素にラベルが付された状態のコンテンツを画面に表示する。
【００７２】
また、表示制御部２５２は、複数の要素の一部にユーザへのメッセージを有するラベルが付されたコンテンツを画面に表示する。また、表示制御部２５２は、複数の要素の一部に販売状況を示すラベルが付されたコンテンツを画面に表示する。また、表示制御部２５２は、複数の要素の一部に人気、売れ筋、注目、一押し、或いはおすすめを示すラベルが付されたコンテンツを画面に表示する。
【００７３】
また、表示制御部２５２は、複数の要素のうちコンテンツを閲覧するユーザと同じ属性のユーザへの販売の実績に基づき選択された要素にラベルが付されたコンテンツを画面に表示する。
【００７４】
また表示制御部２５２は、５以上の要素の２つにラベルが付されたコンテンツを画面に表示する。
【００７５】
〔５．情報処理サーバの処理フロー〕
次に、図９を参照しながら、情報処理サーバ１０が実行する処理の手順について説明する。図９は、配信処理の一例を示すフローチャートである。情報処理サーバ１０は、電源が投入されると、配信処理を開始する。
【００７６】
まず、情報処理サーバ１０は、端末装置２０からコンテンツ（例えば、ショッピングページ）のリクエストを受信したか判別する（ステップＳ１１）。リクエストを受信していない場合（ステップＳ１１：Ｎｏ）、情報処理サーバ１０は、端末装置２０からリクエストを受信するまでステップＳ１１を繰り返す。
【００７７】
リクエストを受信した場合（ステップＳ１１：Ｙｅｓ）、情報処理サーバ１０は、端末装置２０に配信予定のコンテンツにサブクラスの要素が含まれるか判別する（ステップＳ１２）。サブクラスの要素が含まれない場合（ステップＳ１２：Ｎｏ）、情報処理サーバ１０は、ステップＳ１４に処理を進める。
【００７８】
サブクラスの要素が含まれる場合（ステップＳ１２：Ｙｅｓ）、情報処理サーバ１０は、サブクラスの要素の中からラベルを付与する要素を判別する（ステップＳ１３）。例えば、情報処理サーバ１０は、実績情報データベース１２１に格納されている商品の販売実績に基づいてラベルを付与する要素を判別する。
【００７９】
そして、情報処理サーバ１０は、コンテンツデータベース１２２に格納されているコンテンツのデータに基づいて端末装置２０に配信するコンテンツ（例えば、ショッピングページ）を生成する（ステップＳ１４）。なお、コンテンツ中にサブクラスの要素が含まれるのであれば、ステップＳ１３で判別した要素に、ラベルデータベース１２３に格納されているラベルを付す。
【００８０】
コンテンツの生成が完了したら、情報処理サーバ１０は、端末装置２０に生成したコンテンツ（例えば、ショッピングページ）を配信する（ステップＳ１５）。配信が完了したら、情報処理サーバ１０は、ステップＳ１１に戻り、端末装置２０からのリクエストを待機する。
【００８１】
〔６．端末装置の処理フロー〕
次に、図１０を参照しながら、制御情報を実行した端末装置２０が実行する処理の手順について説明する。図１０は、情報表示処理の一例を示すフローチャートである。
【００８２】
まず、端末装置２０は、情報処理サーバ１０からページを取得する（ステップＳ２１）。情報処理サーバ１０から取得するページには、図２のコンテンツＣ１に示すように、商品のサブクラスを示す複数の要素が含まれていてもよい。
【００８３】
そして、端末装置２０は、ステップＳ２１で受信したページを画面に表示する（ステップＳ２２）。ページ中に商品のサブクラスを示す複数の要素が含まれる場合、図２のコンテンツＣ１に示すように、複数の要素の少なくとも１つにラベルが付されていてもよい。
【００８４】
続いて、端末装置２０は、ユーザによるページの操作（例えば、スクロール操作やタップ）があったか判別する（ステップＳ２３）。ページの操作がない場合（ステップＳ２３：Ｎｏ）、端末装置２０は、操作があるまでステップＳ２３を繰り返す。
【００８５】
ユーザによるページの操作があった場合（ステップＳ２３：Ｙｅｓ）、端末装置２０は、そのユーザによる操作がページの遷移操作（例えば、ページ中のリンクのタップ）か判別する（ステップＳ２４）。ユーザによる操作がページの遷移操作でない場合（ステップＳ２４：Ｎｏ）、端末装置２０は、操作に従った処理を実行する（ステップＳ２５）。例えば、ユーザがスクロール操作を行ったのであれば、端末装置２０は、ページをスクロールさせる。
【００８６】
ユーザによる操作がページの遷移操作の場合（ステップＳ２４：Ｙｅｓ）、端末装置２０は、ページのリクエストを送信する（ステップＳ２６）。リクエストの送信が終了したら、端末装置２０は、ステップＳ２１に処理を戻し、ステップＳ２１〜Ｓ２６の処理を繰り返す。
【００８７】
〔７．変形例〕
上述の実施形態は一例を示したものであり、種々の変更及び応用が可能である。
【００８８】
例えば、上述の実施形態では、端末装置２０は、商品のサブクラスを示す複数の要素が含まれるコンテンツを取得した。しかし、端末装置２０は、サービスのサブクラスを示す複数の要素が含まれるコンテンツの情報を取得してもよい。サービスは、例えば、英会話等の受講サービスであってもよい。サービスのサブクラスは、例えば、サービスを受講可能な期間であってもよい。
【００８９】
また、上述の実施形態では、商品のサブクラスは、当該商品のうち、色及び／又はサイズが特定された商品であるものとした。しかし、商品のサブクラスは、色及び／又はサイズが特定された商品に限定されない。例えば、商品のサブクラスは、当該商品のうち、柄（豹柄や縞模様等）が特定された商品であってもよい。このとき、端末装置２０は、商品の柄を示す複数の要素の一部にラベルが付されたコンテンツを画面に表示してもよい。
【００９０】
また、上述の実施形態では、情報処理サーバ１０は、在庫があるサブクラスか否かに関わらず、サブクラスを示す要素にラベルを付した。しかし、情報処理サーバ１０は、在庫が存在するサブクラスの中から選択されたサブクラスの要素にラベルを付してもよい。例えば、情報処理サーバ１０は、在庫が存在するサブクラスのうち、販売数が最も多いサブクラスの商品にラベルを付してもよい。そして、端末装置２０は、在庫が存在するサブクラスの中から選択されたサブクラスの要素にラベルが付された状態のコンテンツを画面に表示してもよい。
【００９１】
また、上述の実施形態では、情報処理サーバ１０は、単純に販売数の多いサブクラスにラベルを付した。しかし、情報処理サーバ１０は、コンテンツを閲覧するユーザ毎にラベルを付すサブクラスを変更してもよい。例えば、情報処理サーバ１０は、サブクラスを示す複数の要素のうちコンテンツ（例えば、図２に示すコンテンツＣ１）を閲覧するユーザと同じ属性のユーザへの販売の実績に基づき選択された要素にラベルを付してもよい。例えば、コンテンツを閲覧するユーザが女性なのであれば、情報処理サーバ１０は、女性への販売数に基づき選択された要素にラベルを付してもよい。属性は、性別に限られず、例えば、年齢、職業、収入、資産、住所、勤務先、使用言語数、家族構成、友人関係、ライフサイクル、価値観、ライフスタイル、性格等であってもよい。その他、属性は、デモグラフィック情報やサイコグラフィック情報であってもよい。
【００９２】
なお、情報処理サーバ１０は、ユーザの属性とは異なる属性のユーザへの販売実績に基づいてラベルを付すサブクラスの要素を選択してもよい。例えば、商品が特定の属性のユーザとの関連が連想される商品の場合、情報処理サーバ１０は、その特定の属性のユーザへの販売実績に基づいて、ラベルを付すサブクラスの要素を選択してもよい。例えば、商品が、調理器具等、料理に関する商品の場合、多くのユーザは主婦を連想する。そのため、情報処理サーバ１０は、商品が料理に関する商品の場合、主婦層への販売実績に基づいてラベルを付すサブクラスの要素を選択してもよい。このとき、ラベルには“主婦に人気”等、特定の属性を示す情報が含まれるメッセージが付されていてもよい。そして、端末装置２０は、特定の属性のユーザとの関連が連想される商品のコンテンツを取得するとともに、特定の属性のユーザへの販売実績に基づき選択されたサブクラスにラベルが付されたコンテンツを画面に表示してもよい。
【００９３】
また、上述の実施形態では、情報処理サーバ１０は、購入希望商品のサブクラスの販売実績に基づいてラベルを付すサブクラスの要素を選択した。しかし、情報処理サーバ１０は、ユーザの購入希望商品とは異なる商品のサブクラスの販売実績に基づいてラベルを付すサブクラスの要素を選択してもよい。例えば、情報処理サーバ１０は、購入希望商品と類似する商品のサブクラスの中で販売数が多い順に所定数のサブクラスを判別する。そして、情報処理サーバ１０は、判別したサブクラスに対応する購入希望商品のサブクラスの要素を、ラベルを付す要素として選択する。これにより、ユーザの購入希望商品が、販売実績があまりない商品の場合も、情報処理サーバ１０は、ラベルを付すサブクラスの要素を選択できる。
【００９４】
なお、情報処理サーバ１０は、購入希望商品と同一カテゴリに属する商品全体の販売実績に基づいてラベルを付すサブクラスの要素を選択してもよい。例えば、購入希望商品がコートなのであれば、情報処理サーバ１０は、カテゴリがコートとなっているショッピングモール内の（或いはストア内の）全ての商品を対象に、サブクラス毎（例えば、色毎）に販売数をカウントする。そして、情報処理サーバ１０は、販売数が多い順に所定数のサブクラスを判別する。そして、情報処理サーバ１０は、判別したサブクラスに対応する購入希望商品のサブクラスの要素を、ラベルを付す要素として選択する。これにより、ユーザの購入希望商品が、販売実績があまりない商品の場合も、情報処理サーバ１０は、ラベルを付すサブクラスの要素を選択できる。
【００９５】
また、情報処理サーバ１０がラベルを付すサブクラスの要素を選択するのに使用する情報は実績情報に限定されない。例えば、情報処理サーバ１０は、商品のレビューの情報に基づいて、ラベルを付すサブクラスの要素を選択してもよい。例えば、情報処理サーバ１０は、レビュー数の多い順に所定数のサブクラスの要素をラベルを付す要素として選択してもよい。
【００９６】
また、上述の実施形態では、情報処理サーバ１０は、複数のサブクラスの要素のうち、１つの要素にラベルを付した。しかし、情報処理サーバ１０は、複数の要素にラベルを付してもよい。例えば、情報処理サーバ１０は、商品にユーザが選択可能な５以上のサブクラスがある場合に、５以上のサブクラスのうち２つの要素にラベルを付してもよい。このとき、情報処理サーバ１０は、ラベルを付す要素を商品の販売実績に基づき判別してもよい。そして、端末装置２０は、サブクラスを示す要素が５以上含まれるコンテンツを取得するとともに、５以上の要素の２つにラベルが付されたコンテンツを画面に表示してもよい。
【００９７】
また、上述の実施形態では、情報処理サーバ１０は、図２に示すように、色を上位のサブクラスとし、サイズを複数の色それぞれに従属する下位のサブクラスとした。しかし、情報処理サーバ１０は、サイズを上位のサブクラスとし、色或いは柄をサイズの下位のサブクラスとしてもよい。勿論、サイズの下位のサブクラスは、色や柄に限定されない。このとき、情報処理サーバ１０は、サイズごとにラベルを付すサブクラスの要素を選択してもよい。例えば、情報処理サーバ１０は、同一サイズに属する複数のサブクラスの中から販売数が多い順に所定数のサブクラスを選択し、選択したサブクラスの要素にラベルを付してもよい。
【００９８】
また、上述の実施形態では、情報処理サーバ１０は、図２に示すように、サイズを示す要素にはラベルを付していなかったが、サイズを示す要素にもラベルを付してもよい。また、情報処理サーバ１０は、サイズと色をそれぞれことなるサブクラスとするのではなく、サイズと色の組み合わせを１つのサブクラスとしてもよい。そして、情報処理サーバ１０は、サイズと色の組み合わせを示す複数の要素の一部にラベルを付してもよい。また、情報処理サーバ１０は、サイズと柄の組み合わせを１つのサブクラスとし、サイズと柄の組み合わせを示す複数の要素の一部にラベルを付してもよい。また、情報処理サーバ１０は、色と柄の組み合わせを１つのサブクラスとし、色と柄の組み合わせを示す複数の要素の一部にラベルを付してもよい。勿論、情報処理サーバ１０は、サイズと色と柄の組み合わせを１つのサブクラスとし、サイズと色と柄の組み合わせを示す複数の要素の一部にラベルを付してもよい。
【００９９】
また、情報処理サーバ１０は、ユーザ毎にラベルを表示したり非表示にしたりしてもよい。このとき、情報処理サーバ１０は、ラベルを非表示にするユーザを、ユーザの属性に基づき判別してもよい。例えば、購入希望商品と同じカテゴリの商品を頻繁に購入しているユーザは、当該商品に関して詳しいと思われる。そこで、情報処理サーバ１０は、購入希望商品と同じカテゴリの商品を頻繁に購入しているユーザに対してはラベルを非表示にしてもよい。
【０１００】
また、ラベルに付されるメッセージは、“人気”、“売れ筋”、“注目”、“一押し”、或いは“おすすめ”に限定されない。ラベルに付されるメッセージは、“ＨＯＴ”、“イチオシ”、“本日のおすすめ”、“○人がカートに入れています”、“プレゼントに人気”等、様々な変形が可能である。
【０１０１】
また、上述の実施形態では、端末装置２０に表示されるページはウェブページであるものとしたが、ページはウェブページに限定されない。例えば、ページは、ユーザインタフェース画面に表示されることを目的として作成されたページであってもよい。例えば、ページは、メッセンジャーアプリケーションの画面、カメラアプリケーションの画面、ゲーム画面、音楽再生画面、動画再生画面のページであってもよい。これらの画面（ページ）も第１のコンテンツの配置面とみなすことができる。なお、配置面は、複数のコンテンツがタイル状に並べられたものであってもよい。画面にページ状に表示可能なさまざまな構成を配置面とみなすことが可能である。
【０１０２】
本実施形態の情報処理サーバ１０、或いは端末装置２０を制御する制御装置は、専用のコンピュータシステムによって実現してもよいし、通常のコンピュータシステムにより実現してもよい。例えば、上述の動作を実行するためのプログラムを、光ディスク、半導体メモリ、磁気テープ、フレキシブルディスク等のコンピュータ読み取り可能な記録媒体に格納して配布し、該プログラムをコンピュータにインストールし、上述の処理を実行することによって制御装置を構成してもよい。制御装置は、情報処理サーバ１０、或いは端末装置２０の外部の装置（例えば、パーソナルコンピュータ）であってもよいし、内部の装置（例えば、制御部１３、或いは２５）であってもよい。また、上記プログラムをインターネット等のネットワーク上のサーバ装置が備えるディスク装置に格納しておき、コンピュータにダウンロード等できるようにしてもよい。また、上述の機能を、ＯＳ（Operating  System）とアプリケーションソフトとの協働により実現してもよい。この場合には、ＯＳ以外の部分を媒体に格納して配布してもよいし、ＯＳ以外の部分をサーバ装置に格納しておき、コンピュータにダウンロード等できるようにしてもよい。
【０１０３】
また、上記各実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１０４】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１０５】
また、上述してきた各実施形態は、処理内容を矛盾させない範囲で適宜組み合わせることが可能である。
【０１０６】
〔８．ハードウェア構成〕
実施形態及び変形例に係る情報処理サーバ１０或いは端末装置２０は、例えば図１１に示すような構成のコンピュータ１０００によっても実現可能である。図１１は、情報処理サーバ１０或いは端末装置２０の機能を実現するコンピュータの一例を示すハードウェア構成図である。コンピュータ１０００は、ＣＰＵ１１００、ＲＡＭ１２００、ＲＯＭ１３００、ＨＤＤ（Hard  Disk  Drive）１４００、通信インタフェース（Ｉ／Ｆ）１５００、入出力インタフェース（Ｉ／Ｆ）１６００、及びメディアインタフェース（Ｉ／Ｆ）１７００を有する。
【０１０７】
ＣＰＵ１１００は、ＲＯＭ１３００またはＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１０８】
ＨＤＤ１４００は、ＣＰＵ１１００によって実行されるプログラム、及び、かかるプログラムによって使用されるデータ等を格納する。通信インタフェース１５００は、ネットワークＮを介して他の機器からデータを受信してＣＰＵ１１００へ送り、ＣＰＵ１１００が生成したデータをネットワークＮを介して他の機器へ送信する。
【０１０９】
ＣＰＵ１１００は、入出力インタフェース１６００を介して、ディスプレイやプリンタ等の出力装置、及び、キーボードやマウス等の入力装置を制御する。ＣＰＵ１１００は、入出力インタフェース１６００を介して、入力装置からデータを取得する。また、ＣＰＵ１１００は、生成したデータを入出力インタフェース１６００を介して出力装置へ出力する。
【０１１０】
メディアインタフェース１７００は、記録媒体１８００に格納されたプログラムまたはデータを読み取り、ＲＡＭ１２００を介してＣＰＵ１１００に提供する。ＣＰＵ１１００は、かかるプログラムを、メディアインタフェース１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１１１】
例えば、コンピュータ１０００が実施形態に係る情報処理サーバ１０或いは端末装置２０として機能する場合、コンピュータ１０００のＣＰＵ１１００は、ＲＡＭ１２００上にロードされたプログラムを実行することにより、制御部１３或いは制御部２５の機能を実現する。コンピュータ１０００のＣＰＵ１１００は、これらのプログラムを記録媒体１８００から読み取って実行するが、他の例として、他の装置からネットワークＮを介してこれらのプログラムを取得してもよい。
【０１１２】
以上、本願の実施形態のいくつかを図面に基づいて詳細に説明したが、これらは例示であり、発明の開示の行に記載の態様を始めとして、当業者の知識に基づいて種々の変形、改良を施した他の形態で本発明を実施することが可能である。
【０１１３】
〔９．効果〕
本実施形態によれば、端末装置２０は、所定の対象の一部を特化した対象（サブクラス）を示す複数の要素が含まれるコンテンツを取得する。端末装置２０は、複数の要素の一部に目印となる所定の表示（例えば、ラベル）が付されたコンテンツを画面に表示する。これにより、ユーザは、所定の対象にサブクラスが複数あったとしても、所定の表示を判断材料にしてサブクラスを容易に選択できる。結果として、ユーザはショッピングに関する判断を容易に行うことができる。
【０１１４】
また、端末装置２０は、商品或いはサービスのサブクラスを示す複数の要素が含まれるコンテンツの情報を取得する。そして、端末装置２０は、商品或いはサービスのサブクラスを示す複数の要素の一部に所定の表示が付されたコンテンツを画面に表示する。これにより、ユーザは、商品或いはサービスにサブクラスが複数あったとしても、所定の表示を判断材料にしてサブクラスを容易に選択できる。結果として、ユーザはショッピングに関する判断を容易に行うことができる。
【０１１５】
また、端末装置２０は、商品の色或いは柄を示す複数の要素が含まれるコンテンツの情報を取得する。そして、端末装置２０は、商品の色或いは柄を示す複数の要素の一部にラベルが付されたコンテンツを画面に表示する。これにより、ユーザは、商品に色或いは柄の選択肢が複数あったとしても、ラベルを判断材料にして色或いは柄を容易に選択できる。結果として、ユーザはショッピングに関する判断を容易に行うことができる。
【０１１６】
また、端末装置２０は、商品のサブクラスを示す複数の要素が含まれるコンテンツの情報を取得する。そして、端末装置２０は、在庫が存在するサブクラスの中から選択されたサブクラスの要素に所定の表示が付された状態のコンテンツを画面に表示する。これにより、所定の表示が付される要素は、確実に在庫が存在している商品のサブクラスとなる。結果として、所定の表示の判断材料としての価値が高くなる。
【０１１７】
また、端末装置２０は、複数の要素の一部にユーザへのメッセージを有する所定の表示が付されたコンテンツを画面に表示する。これにより、ユーザは、メッセージを判断材料にしてサブクラスを容易に選択できる。
【０１１８】
また、端末装置２０は、複数の要素の一部に他のユーザの購入状況を示す所定の表示が付されたコンテンツを画面に表示する。これにより、ユーザは、購買状況を判断材料にしてサブクラスを容易に選択できる。
【０１１９】
また、端末装置２０は、複数の要素の一部に人気、売れ筋、注目、一押し、或いはおすすめを示す所定の表示が付されたコンテンツを画面に表示する。これにより、ユーザは、所定の表示を判断材料にしてサブクラスを容易に選択できる。
【０１２０】
また、端末装置２０は、複数の要素のうちコンテンツを閲覧するユーザと同じ属性のユーザへの販売の実績に基づき選択された要素に所定の表示が付されたコンテンツを画面に表示する。これにより、ユーザは、所定の表示を判断材料にしてサブクラスを容易に選択できる。
【０１２１】
また、端末装置２０は、サブクラスを示す要素が５以上含まれるコンテンツを取得する。そして、端末装置２０は、５以上の要素の２つに所定の表示が付されたコンテンツを画面に表示する。これにより、ユーザは、所定の表示を判断材料にしてサブクラスを容易に選択できる。
【０１２２】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１２３】
また、上述してきた「部（section、module、unit）」は、「手段」や「回路」などに読み替えることができる。例えば、取得部は、取得手段や取得回路に読み替えることができる。同様に、表示制御部は、表示制御手段や表示制御回路に読み替えることができる。
【符号の説明】
【０１２４】
１…情報処理システム
１０…情報処理サーバ
１１、２１…通信部
１２、２３…記憶部
１２１…実績情報データベース
１２２…コンテンツデータベース
１２３…ラベルデータベース
１３、２５…制御部
１３１…受付部
１３２…判別部
１３３…生成部
１３４…配信部
２０、２０１、２０２、２０３、２０４…端末装置
２２…入力部
２４…出力部
２５１…取得部
２５２…表示制御部
Ａ１…コンテンツ表示領域
Ｂ１…ボタン
Ｃ１…コンテンツ
Ｅ１〜Ｅ５…要素
Ｌ１、Ｌ２、Ｌ３…ラベル
【図１】
2019046190.tif 000003
【図２】
2019046190.tif 000004
【図３】
2019046190.tif 000005
【図４】
2019046190.tif 000006
【図５】
2019046190.tif 000007
【図６】
2019046190.tif 000008
【図７】
2019046190.tif 000009
【図８】
2019046190.tif 000010
【図９】
2019046190.tif 000011
【図１０】
2019046190.tif 000012
【図１１】
2019046190.tif 000013
【手続補正書】
【提出日】平成30年3月16日(2018.3.16)
【手続補正１】
【補正対象書類名】特許請求の範囲
【補正対象項目名】全文
【補正方法】変更
【補正の内容】
【特許請求の範囲】
【請求項１】
所定の対象のサブクラスを示す複数の要素が含まれるコンテンツを生成する生成部と、
端末装置に前記コンテンツの情報を配信する配信部と、を備え、
前記生成部は、前記所定の対象に関する販売実績に基づいて、前記複数の要素の中から、目印となる所定の表示を付す要素を選択し、選択した要素に前記所定の表示を付す、
ことを特徴とする配信装置。
【請求項２】
前記生成部は、前記コンテンツを閲覧するユーザと同じ属性のユーザへの販売実績に基づいて、前記複数の要素の中から所定の表示を付す要素を選択し、選択した要素に前記所定の表示を付す、
ことを特徴とする請求項１に記載の配信装置。
【請求項３】
前記生成部は、前記所定の対象との関連が連想される所定の属性のユーザへの販売実績に基づいて、前記複数の要素の中から前記所定の表示を付す要素を選択し、選択した要素に、前記所定の属性を示す情報が含まれる前記所定の表示を付す、
ことを特徴とする請求項１に記載の配信装置。
【請求項４】
前記生成部は、商品或いはサービスのサブクラスを示す前記複数の要素が含まれる前記コンテンツを生成する、
ことを特徴とする請求項１〜３のいずれか１項に記載の配信装置。
【請求項５】
前生成部は、商品の色或いは柄を示す前記複数の要素が含まれる前記コンテンツを生成する、
ことを特徴とする請求項１〜４のいずれか１項に記載の配信装置。
【請求項６】
前記生成部は、商品のサブクラスを示す前記複数の要素が示す複数の対象のうち在庫が存在する対象の要素の中から前記所定の表示を付す要素を選択し、選択した要素に前記所定の表示を付す、
ことを特徴とする請求項１〜５のいずれか１項に記載の配信装置。
【請求項７】
前記生成部は、前記選択した要素にユーザへのメッセージを有する前記所定の表示を付す、
ことを特徴とする請求項１〜６のいずれか１項に記載の配信装置。
【請求項８】
前記生成部は、前記選択した要素に販売状況を示す前記所定の表示を付す、
ことを特徴とする請求項１〜７のいずれか１項に記載の配信装置。
【請求項９】
前記生成部は、前記選択した要素に人気、売れ筋、注目、一押し、或いはおすすめを示す前記所定の表示を付す、
ことを特徴とする請求項１〜８のいずれか１項に記載の配信装置。
【請求項１０】
前記生成部は、前記要素が５以上含まれる前記コンテンツを生成するとともに、５以上の前記要素の２つに前記所定の表示を付す、
ことを特徴とする請求項１〜９のいずれか１項に記載の配信装置。
【請求項１１】
配信装置が実行する配信方法であって、
所定の対象のサブクラスを示す複数の要素が含まれるコンテンツを生成する生成工程と、
端末装置に前記コンテンツの情報を配信する配信工程と、含み、
前記生成工程では、前記所定の対象に関する販売実績に基づいて、前記複数の要素の中から、目印となる所定の表示を付す要素を選択し、選択した要素に前記所定の表示を付す、
ことを特徴とする配信方法。
【請求項１２】
所定の対象のサブクラスを示す複数の要素が含まれるコンテンツを生成する生成手順と、
端末装置に前記コンテンツの情報を配信する配信手順と、をコンピュータに実行させ、
前記生成手順では、前記所定の対象に関する販売実績に基づいて、前記複数の要素の中から、目印となる所定の表示を付す要素を選択し、選択した要素に前記所定の表示を付す、
ことを特徴とする配信プログラム。
【手続補正３】
【補正対象書類名】明細書
【補正対象項目名】０００１
【補正方法】変更
【補正の内容】
【０００１】
本発明は、配信装置、配信方法、及び配信プログラムに関する。
【手続補正書】
【提出日】平成30年8月17日(2018.8.17)
【手続補正１】
【補正対象書類名】特許請求の範囲
【補正対象項目名】全文
【補正方法】変更
【補正の内容】
【特許請求の範囲】
【請求項１】
所定の対象のサブクラスを示す複数の要素が含まれるコンテンツを生成する生成部と、
端末装置に前記コンテンツの情報を配信する配信部と、を備え、
前記生成部は、前記所定の対象に関する販売実績に基づいて、前記複数の要素の中から、目印となる所定の表示を付す要素を選択し、選択した要素に前記所定の表示を付す、
ことを特徴とする配信装置。
【請求項２】
前記生成部は、前記所定の対象との関連が連想される所定の属性のユーザへの販売実績に基づいて、前記複数の要素の中から前記所定の表示を付す要素を選択し、選択した要素に、前記所定の属性を示す情報が含まれる前記所定の表示を付す、
ことを特徴とする請求項１に記載の配信装置。
【請求項３】
前記生成部は、商品或いはサービスのサブクラスを示す前記複数の要素が含まれる前記コンテンツを生成する、
ことを特徴とする請求項１又は２に記載の配信装置。
【請求項４】
前生成部は、商品の色或いは柄を示す前記複数の要素が含まれる前記コンテンツを生成する、
ことを特徴とする請求項１〜３のいずれか１項に記載の配信装置。
【請求項５】
前記生成部は、商品のサブクラスを示す前記複数の要素が示す複数の対象のうち在庫が存在する対象の要素の中から前記所定の表示を付す要素を選択し、選択した要素に前記所定の表示を付す、
ことを特徴とする請求項１〜４のいずれか１項に記載の配信装置。
【請求項６】
前記生成部は、前記選択した要素にユーザへのメッセージを有する前記所定の表示を付す、
ことを特徴とする請求項１〜５のいずれか１項に記載の配信装置。
【請求項７】
前記生成部は、前記選択した要素に販売状況を示す前記所定の表示を付す、
ことを特徴とする請求項１〜６のいずれか１項に記載の配信装置。
【請求項８】
前記生成部は、前記選択した要素に人気、売れ筋、注目、一押し、或いはおすすめを示す前記所定の表示を付す、
ことを特徴とする請求項１〜７のいずれか１項に記載の配信装置。
【請求項９】
前記生成部は、前記要素が５以上含まれる前記コンテンツを生成するとともに、５以上の前記要素の２つに前記所定の表示を付す、
ことを特徴とする請求項１〜８のいずれか１項に記載の配信装置。
【請求項１０】
配信装置が実行する配信方法であって、
所定の対象のサブクラスを示す複数の要素が含まれるコンテンツを生成する生成工程と、
端末装置に前記コンテンツの情報を配信する配信工程と、含み、
前記生成工程では、前記所定の対象に関する販売実績に基づいて、前記複数の要素の中から、目印となる所定の表示を付す要素を選択し、選択した要素に前記所定の表示を付す、
ことを特徴とする配信方法。
【請求項１１】
所定の対象のサブクラスを示す複数の要素が含まれるコンテンツを生成する生成手順と、
端末装置に前記コンテンツの情報を配信する配信手順と、をコンピュータに実行させ、
前記生成手順では、前記所定の対象に関する販売実績に基づいて、前記複数の要素の中から、目印となる所定の表示を付す要素を選択し、選択した要素に前記所定の表示を付す、
ことを特徴とする配信プログラム。
【手続補正書】
【提出日】平成30年12月10日(2018.12.10)
【手続補正１】
【補正対象書類名】特許請求の範囲
【補正対象項目名】全文
【補正方法】変更
【補正の内容】
【特許請求の範囲】
【請求項１】
複数のサブクラスを有する所定の対象の該複数のサブクラスをそれぞれ示す複数の要素が含まれるコンテンツを生成する生成部と、
端末装置に前記コンテンツの情報を配信する配信部と、を備え、
前記生成部は、前記所定の対象に関する販売実績に基づいて、前記複数の要素の中から、目印となる所定の表示を付す要素を選択し、選択した要素に前記所定の表示を付す、
ことを特徴とする配信装置。
【請求項２】
前記生成部は、前記所定の対象との関連が連想される所定の属性のユーザへの販売実績に基づいて、前記複数の要素の中から前記所定の表示を付す要素を選択し、選択した要素に、前記所定の属性を示す情報が含まれる前記所定の表示を付す、
ことを特徴とする請求項１に記載の配信装置。
【請求項３】
前記生成部は、複数のサブクラスを有する商品或いはサービスの該複数のサブクラスをそれぞれ示す前記複数の要素が含まれる前記コンテンツを生成する、
ことを特徴とする請求項１又は２に記載の配信装置。
【請求項４】
前記生成部は、複数の色違いの商品或いは複数の柄違いの商品を有する所定の商品の該複数の色或いは該複数の柄をそれぞれ示す前記複数の要素が含まれる前記コンテンツを生成する、
ことを特徴とする請求項１〜３のいずれか１項に記載の配信装置。
【請求項５】
前記生成部は、複数のサブクラスを有する商品の該複数のサブクラスをそれぞれ示す前記複数の要素が示す複数の対象のうち在庫が存在する対象の要素の中から前記所定の表示を付す要素を選択し、選択した要素に前記所定の表示を付す、
ことを特徴とする請求項１〜４のいずれか１項に記載の配信装置。
【請求項６】
前記生成部は、前記選択した要素にユーザへのメッセージを有する前記所定の表示を付す、
ことを特徴とする請求項１〜５のいずれか１項に記載の配信装置。
【請求項７】
前記生成部は、前記選択した要素に販売状況を示す前記所定の表示を付す、
ことを特徴とする請求項１〜６のいずれか１項に記載の配信装置。
【請求項８】
前記生成部は、前記選択した要素に人気、売れ筋、注目、一押し、或いはおすすめを示す前記所定の表示を付す、
ことを特徴とする請求項１〜７のいずれか１項に記載の配信装置。
【請求項９】
前記生成部は、前記要素が５以上含まれる前記コンテンツを生成するとともに、５以上の前記要素の２つに前記所定の表示を付す、
ことを特徴とする請求項１〜８のいずれか１項に記載の配信装置。
【請求項１０】
配信装置が実行する配信方法であって、
複数のサブクラスを有する所定の対象の該複数のサブクラスをそれぞれ示す複数の要素が含まれるコンテンツを生成する生成工程と、
端末装置に前記コンテンツの情報を配信する配信工程と、含み、
前記生成工程では、前記所定の対象に関する販売実績に基づいて、前記複数の要素の中から、目印となる所定の表示を付す要素を選択し、選択した要素に前記所定の表示を付す、
ことを特徴とする配信方法。
【請求項１１】
複数のサブクラスを有する所定の対象の該複数のサブクラスをそれぞれ示す複数の要素が含まれるコンテンツを生成する生成手順と、
端末装置に前記コンテンツの情報を配信する配信手順と、をコンピュータに実行させ、
前記生成手順では、前記所定の対象に関する販売実績に基づいて、前記複数の要素の中から、目印となる所定の表示を付す要素を選択し、選択した要素に前記所定の表示を付す、
ことを特徴とする配信プログラム。